(57)【特許請求の範囲】
【請求項１】
棒状化粧料保持用の繰出筒１と、この繰出筒１の上部が繰出自在に収容される筒状本体２と、上記繰出筒１の下部が進退自在で回動不能に収容され上記筒状本体２の下端開口部に相対回動自在に取り付けられる筒状操作部５を備え、上記繰出筒１の上部外周面を９面以上２４面以下の面数を有する正多面体に形成し、上記筒状本体２の内周面を、上記繰出筒１の上部外周面の正多面体に繰出自在に係合する正多面体に形成し、上記繰出筒１の下部外周面にらせん溝１３もしくはガイド突部を形成し、上記筒状操作部５に、上記繰出筒１の下部外周面のらせん溝１３に係合するガイド突部２６もしくは繰出筒１の下部周面のガイド突部に係合するらせん溝を形成したことを特徴とする棒状化粧料容器。
【請求項２】
上記繰出筒１の下部外周面にらせん溝１３を形成し、上記筒状操作部５を、有底筒状の本体部３と、この本体部３に進退自在で回動不能に収容される内筒４で構成し、この内筒４の外周面にらせん溝２３を形成するとともに、上記内筒４の内周面に、上記繰出筒１の下部外周面のらせん溝１３に係合するガイド突部２６を突設し、上記筒状本体２の下端開口部から筒状部１５ｂを垂設し、この筒状部１５ｂを上記本体部３の上端開口部に相対回動自在に内嵌し、上記筒状部１５ｂの内周面に、上記内筒４の外周面のらせん溝２３に係合するガイド突部１６を突設した請求項１記載の棒状化粧料容器。
【請求項３】
上記筒状操作部５の内周面に、上記繰出筒１の下部外周面のらせん溝１３に係合するガイド突部２８もしくは繰出筒１の下部外周面のガイド突部に係合するらせん溝を形成した請求項１記載の棒状化粧料容器。
【請求項４】
上記筒状操作部３に吊り下げ部２２が突設されている請求項１〜３のいずれか一項に記載の棒状化粧料容器。
【発明の詳細な説明】
【０００１】
【発明の属する技術分野】
本発明は、口紅，リップクリーム，チック，棒状の固形芳香剤等の棒状化粧料を容器から繰り出して使用する棒状化粧料容器に関するものである。
【０００２】
【従来の技術】
最近、口紅等の棒状化粧料の繰り出し容器として、その組立工程を簡素化したものが、特開平８−２７５８２２号公報に提案されている。この棒状化粧料繰り出し容器は、図２１に示すように、棒状化粧料３０の下端部を保持する保持筒３１と、この保持筒３１を上下摺動自在に内装するガイド筒３２と、このガイド筒３２に回動自在に外嵌し内周面に浅くて細かいローレットらせん溝３３ａを刻設したスリーブ３３（図２２参照）と、上記ガイド筒３２の下端を止着する外筒３４と、この外筒３４に冠着するキャップ３５とを備えており、保持筒３１の外周面に突設したら合部３１ａを、ガイド筒３２に穿設したガイド溝３２ａに挿通して横側方に突出させることにより、スリーブ３３のローレットらせん溝３３ａにら合させている。この棒状化粧料繰り出し容器を使用する場合には、スリーブ３３と外筒３４とを相対回動させることにより、外筒３４に止着したガイド筒３２とスリーブ３３とを相対回動させ、この相対回動に伴い、保持筒３１を昇降させることを行う。これにより、ガイド筒３２の上端開口部から棒状化粧料３０を繰り出したり、繰り下げたりすることができる。このものでは、組立時に、保持筒３１のら合部３１ａとスリーブ３３のローレットらせん溝３３ａとを位置合わせすることなく、保持筒３１を内装したガイド筒３２にスリーブ３３を外嵌させるだけで、上記ら合部３１ａとローレットらせん溝３３ａとをら合させることができ、組立が簡単である。
【０００３】
【発明が解決しようとする課題】
しかしながら、この棒状化粧料繰り出し容器では、円筒状の保持筒３１の両ら合部３１ａと円筒状のガイド筒３２の両ガイド溝３２ａとの間に隙間があり、これにより、保持筒３１とガイド筒３２との間に周方向のがたつきが生じる。このため、この棒状化粧料繰り出し容器をハンドバッグ等の中に入れて持ち運ぶと、ハンドバッグ等の揺れによりこの棒状化粧料繰り出し容器も揺れ、保持筒３１とガイド筒３２とが周方向に動いて（正転したり、逆転したりして）、両ら合部３１ａ，両ガイド溝３２ａが損傷したり、がたつき音が発生したりする。しかも、この棒状化粧料繰り出し容器では、上記相対回動時にこの相対回動により生じる回動力に抗しながら、両ら合部３１ａが両ガイド溝３２ａに当接して両ガイド溝３２ａを昇降するため、両ら合部３１ａ，両ガイド溝３２ａが早期に破損する。さらに、この棒状化粧料繰り出し容器には、保持筒３１と、この保持筒３１を内装するガイド筒３２と、このガイド筒３２を外嵌するスリーブ３３と、上記ガイド筒３２を止着する外筒３４とを備えているため、部品点数が多くて在庫管理等の管理面が煩雑になるうえ、厚み方向に保持筒３１，ガイド筒３２，スリーブ３３が配設されており、大径化する。
【０００４】
本発明は、このような事情に鑑みなされたもので、がたつきがなく、しかも、長期にわたって破損することがなく、さらに、部品点数が少なく、小径化が可能な棒状化粧料容器の提供をその目的とする。
【０００５】
【課題を解決するための手段】
上記の目的を達成するため、本発明の棒状化粧料容器は、棒状化粧料保持用の繰出筒と、この繰出筒の上部が繰出自在に収容される筒状本体と、上記繰出筒の下部が進退自在で回動不能に収容され上記筒状本体の下端開口部に相対回動自在に取り付けられる筒状操作部を備え、上記繰出筒の上部外周面を９面以上２４面以下の面数を有する正多面体に形成し、上記筒状本体の内周面を、上記繰出筒の上部外周面の正多面体に繰出自在に係合する正多面体に形成し、上記繰出筒の下部外周面にらせん溝もしくはガイド突部を形成し、上記筒状操作部に、上記繰出筒の下部外周面のらせん溝に係合するガイド突部もしくは繰出筒１の下部周面のガイド突部に係合するらせん溝を形成したという構成をとる。
【０００６】
すなわち、本発明の棒状化粧料容器は、棒状化粧料保持用の繰出筒と、この繰出筒の上部が繰出自在に収容される筒状本体と、上記繰出筒の下部が進退自在で回動不能に収容され上記筒状本体の下端開口部に相対回動自在に取り付けられる筒状操作部とを備えている。そして、上記繰出筒の上部外周面を９面以上２４面以下の面数を有する正多面体に形成し、上記筒状本体の内周面を、上記繰出筒の上部外周面の正多面体に繰出自在に係合する正多面体に形成している。また、上記繰出筒の下部外周面にらせん溝もしくはガイド突部を形成し、上記筒状操作部に、上記繰出筒の下部外周面のらせん溝に係合するガイド突部もしくは繰出筒の下部周面のガイド突部に係合するらせん溝を設けている。このものでは、筒状操作部を筒状本体に対して相対回動させると、この相対回動に伴い繰出筒を連れ回りさせようとするのに対し、繰出筒の上部外周面（正多面体）と筒状本体の内周面（正多面体）とが係合しているため、繰出筒を連れ回りさせることができないが、繰出筒の下部外周面のらせん溝（もしくはガイド突部）と筒状操作部のガイド突部（もしくはらせん溝）とがら合しているため、このら合により、繰出筒の下部を筒状操作部に対し進退させる力が生じる。これにより、繰出筒が進退し、繰出筒の上部が筒状本体内を繰出される。この繰出筒の繰出は、繰出筒の上部外周面と筒状本体の内周面とが係合しながら行われるため、がたつきが生じず、また、長期にわたって破損することもない。さらに、本発明の棒状化粧料容器は、棒状化粧料保持用の繰出筒と、この繰出筒の上部が収容される筒状本体と、上記繰出筒の下部が進退自在に収容される筒状操作部とからなっており、部品点数が少ないうえ、厚み方向には繰出筒と筒状本体（もしくは筒状操作部）が配設されているだけであり、小径化し、全体が小型化する。なお、本発明では、繰出筒の上部外周面に形成する正多面体を、９面以上２４面以下の面数を有する正多面体に限定しているが、このものでは、がたつきがなく、スムーズに繰出することができ、しかも、長期にわたって破損しないことがテストにより確認されている。このような正多面体の面数は、好適には、１２面以上２０面以下の面数に設定され、より好適には、１６面に設定される。また、本発明において、棒状化粧料とは、口紅，リップクリーム，チック等の皮膚，毛髪に用いる化粧品だけでなく、口中に用いる化粧品や、固形芳香品等、逆さにしたり、揺らしたりしても形崩れのしない芳香品をも含む意味である。
【０００７】
また、本発明において、上記繰出筒の下部外周面にらせん溝を形成し、上記筒状操作部を、有底筒状の本体部と、この本体部に進退自在で回動不能に収容される内筒で構成し、この内筒の外周面にらせん溝を形成するとともに、上記内筒の内周面に、上記繰出筒の下部外周面のらせん溝に係合するガイド突部を突設し、上記筒状本体の下端開口部から筒状部を垂設し、この筒状部を上記本体部の上端開口部に相対回動自在に内嵌し、上記筒状部の内周面に、上記内筒の外周面のらせん溝に係合するガイド突部を突設した場合には、筒状操作部を筒状本体に対して相対回動させると、この相対回動に伴い筒状操作部の内筒が連れ回りしながらこの内筒の外周面のらせん溝に筒状本体の筒状部のガイド突部がら合し、このら合により、内筒が筒状操作部の本体部内を進退する。一方、上記内筒のつれ回りに伴い繰出筒を連れ回りさせようとするのに対し、繰出筒の上部外周面（正多面体）と筒状本体の内周面（正多面体）とが係合しているため、繰出筒を連れ回りさせることができないが、繰出筒の下部外周面のらせん溝と筒状操作部のガイド突部とがら合しているため、このら合により、繰出筒の下部を筒状操作部に対し進退させる力が生じる。これにより、繰出筒が進退し、繰出筒の上部が筒状本体内を繰出される。この実施の形態では、筒状操作部と筒状本体との相対回動により、繰出筒の移動距離と内筒の移動距離を加算した距離を繰出すことができ、略半分の回動操作で所定距離を繰出すことができる。
【０００８】
また、本発明において、上記筒状操作部の内周面に、上記繰出筒の下部外周面のらせん溝に係合するガイド突部もしくは繰出筒の下部外周面のガイド突部に係合するらせん溝を形成した場合には、構造が簡単化する。
【０００９】
また、本発明において、上記筒状操作部に吊り下げ部が突設されている場合には、本発明の棒状化粧料容器をペンダント等に吊り下げることができ、携帯に便利である。
【００１０】
【発明の実施の形態】
つぎに、本発明の実施の形態を図面にもとづいて詳しく説明する。
【００１１】
図１は本発明の棒状化粧料容器の一実施の形態を示している。この棒状化粧料容器は、芳香スティック７（芳香剤を含有するペースト状物質を棒状に凝固させたもの）が保持されるＰＯＭ（ポリアセタール）樹脂製の中皿（繰出筒）１と、この中皿１の上部（後述する保持部１１）が繰出自在に収容されるＰＰ（ポリプロピレン）樹脂製の筒状本体２と、上記中皿１の下部（後述するら合部１２）が進退自在に収容され上記筒状本体２の下端開口部（後述する下側小径部１５ｂ）に回動自在に取り付けられる筒状操作部５と、上記筒状本体２の上端開口部（後述する上側小径部１５ａ）に冠着されるＰＰ樹脂製のキャップ６とからなり、上記筒状操作部５が、ＰＰ樹脂製の袴（本体部）３と、この袴３に進退自在で回動不能に収容されるＰＯＭ樹脂製の中筒（内筒）４とで構成されている。
【００１２】
より詳しく説明すると、上記中皿１は、図２に示すように、芳香スティック７（図１参照）を保持する有底筒状の保持部１１と、この保持部１１の底壁から垂設される円筒状のら合部１２で構成されている。上記保持部１１は、図３〜図５に示すように、その外周面が正１６面体に形成されており、後述する筒状本体２の内周面の大径部１４ａ（正１６面体）に回り止め状に、かつ、摺動自在に（繰出，繰入自在に）係合している。また、上記保持部１１は、その内周面が円柱状に形成されており、この内周面に、らせん状に（左ねじ状に）延びる１本の突条１１ａが突設されている。この突条１１ａは、芳香スティック７を抜け止めする作用をしており、芳香スティック７が上下方向に抜け出しにくく、かつ、周方向に回動しにくくしている。一方、上記ら合部１２には、その外周面に、２条のらせん溝（左ねじ溝）１３が刻設されており、それぞれ、後述する中筒４の両ガイド突部２６に係合している。このような両らせん溝１３は、ピッチ１．８ｍｍ、高さ０．４ｍｍに設定されている。図５において、１２ａはら合部１２の下端部に突設された円環状の回り止め部である。
【００１３】
上記筒状本体２は、図６〜図９に示すように、円筒状に形成されており、その内周面が、上記保持部１１の外周面に対応する正１６面体に形成された大径部１４ａと、上記保持部１１の抜け出しを防止する小径部１４ｂに分割されている。この小径部１４ｂ（すなわち、後述する下側小径部１５ｂの内周面）には、後述する中筒４の外周面の両らせん溝２３に係合する４つのガイド突部１６ａ，１６ｂが等間隔をあけて（中筒４の中心から９０°置きに）突設されており、かつ、相対峙するよう位置決めされている。これら４つのガイド突部１６ａ，１６ｂのうち、隣り合う２つのガイド突部１６ａは上記両らせん溝２３の一方に係合し、隣り合う別の２つのガイド突部１６ｂは上記両らせん溝２３の他方に係合している。このような４つのガイド突部１６ａ，１６ｂは、上記２つのガイド突部１６ａが上記両らせん溝２３の一方の軌跡上に位置し、上記別の２つのガイド突部１６ｂが上記両らせん溝２３の他方の軌跡上に位置している。また、上記筒状本体２の上端部は、キャップ６が冠着される上側小径部１５ａに形成されており、この上側小径部１５ａの外周面に、後述するキャップ６の内周面下端部の円環状溝６ａに着脱自在に係合する３つの突部１７が等間隔をあけて突設されている。一方、上記筒状本体２の下端部は、後述する袴３の上端開口部に回動自在に内嵌される下側小径部１５ｂに形成されており、この下側小径部１５ｂの外周面に、後述する袴３の内周面上端部の円環状溝３ａに回動自在に係合する円環状突部１８が突設されている。図９において、１９は下側小径部１５ｂの下端面に相対峙するようにして形成された切欠き凹部である。
【００１４】
上記袴３は、図１０に示すように、有底筒状に形成されており、その内周面の上端部に、上記筒状本体２の下側小径部１５ｂの円環状突部１８に回動自在に係合する円環状溝３ａが形成されている。また、上記袴３の内周面には、上記円環状溝３ａの下側部分に、図１１に示すように、上下方向に延びる１２本の係合用突条２１が等間隔をあけて突設されており、後述する中筒４の鍔部２４の係合用凹部２５に回り止め状に、かつ、摺動自在に係合している。また、上記袴３の底部外周面から、図１２および図１３に示すように、ペンダント１０等に吊り下げるための円環状フック（吊り下げ部）２２が垂設されている（図１９参照）。
【００１５】
上記中筒４は、図１４〜図１６に示すように、円筒状に形成されており、その外周面に、上記筒状本体２の小径部１４ｂの各ガイド突部１６ａ，１６ｂに係合する２条のらせん溝（右ねじ溝）２３が形成されている。これら両らせん溝２３は、ピッチ１．８ｍｍ、高さ０．４ｍｍに設定されている。また、上記中筒４の下端開口部には、その外周面から鍔部２４が突設されており、上記袴３の係合用突条２１に対応する上記鍔部２４の部分に、上記係合用突条２１に回り止め状にかつ摺動自在に係合する１２個の係合用凹部２５が等間隔をあけて形成されている。一方、上記中筒４の内周面上端部には、上記中皿１のら合部１２の両らせん溝１３に係合するガイド突部２６が相対峙する位置に突設されている。
【００１６】
上記キャップ６は、図１７に示すように、有天円筒状に形成されており、その内周面の下端部に、上記筒状本体２の上側小径部１５ａの各突部１７に着脱自在に係合する円環状溝６ａが形成されている。
【００１７】
上記構成において、図１に示す状態で、筒状本体２に対して袴３を相対回動させる（右方向に回転させる）と、この相対回動に伴い、袴３の係合用突条２１と回り止め状に係合する中筒４が連れ回りしながら、この中筒４の外周面の両らせん溝２３と筒状本体２の小径部１４ｂの各ガイド突部１６ａ，１６ｂとの係合により、中筒４が袴３の係合用突条２１に沿って上昇する。一方、上記中筒４の連れ回りに伴い、中皿１を連れ回りさせようとするが、中皿１の保持部１１の外周面（正１６面体）と筒状本体２の内周面（正１６面体）との係合により、中皿１が連れ回りせず、筒状本体２を上昇する。このようにして、中筒４を繰出することができる（図１８参照）。一方、中皿１を下降（繰入）させる場合には、上記上昇させた状態から、筒状本体２に対して袴３を逆方向に相対回動させる（左方向に回転させる）ことを行う。
【００１８】
このような棒状化粧料容器は、図１９に示すように、そのフック２２をペンダント１０等に吊り下げて使用する。そして、不使用時には、図１に示すように、中皿１を繰入しておき、その状態でキャップ６を冠着する。一方、使用時には、キャップ６を取り外し、筒状本体２に対して袴３を相対回動させて、中皿１を繰出し、芳香スティック７を外部に露出させる。
【００１９】
このように、上記実施の形態では、中皿１の保持部１１の外周面を正１６面体に形成するとともに、筒状本体２の内周面を、上記保持部１１の外周面に対応する正１６面体に形成しているため、ペンダント１０等に吊り下げて使用しても、長期にわたって中皿１と筒状本体２との周方向のがたつきが生じることがなく、また、破損することもない。しかも、上記優れた効果を奏しながらも、中皿１と筒状本体２と袴３と中筒４とキャップ６で構成されており、部品点数が少ないうえ、小径化する。さらに、袴３に中筒４を収容し、この中筒４を介して中皿１を繰出，繰入する構造であるため、少しの回動操作で中皿１を繰出，繰入することができる。
【００２０】
図２０は本発明の他の実施の形態を示している。この実施の形態では、筒状操作部５の袴３の内周面上端部に、中皿１のら合部１２のらせん溝１３に係合するガイド突部２８を突設している。また、袴３の上端部を小径に形成し、この小径部を筒状本体２の下端開口部に回動自在に内嵌させている。このため、この実施の形態では、図１の実施の形態における、中筒４、袴３の係合用突条２１，円環状溝３ａ、筒状本体２の小径部１４ｂ，下側小径部１５ｂを設けていない。それ以外の部分は図１の実施の形態と同様であり、同様の部分には同じ符号を付している。この実施の形態でも、図１の実施の形態と同様の作用・効果を奏する。
【００２１】
なお、図１に示す実施の形態では、中皿１のら合部１２の外周面にらせん溝１３を形成し、中筒４の内周面にガイド突部２６を突設しているが、これに限定するものではなく、中皿１のら合部１２の外周面の下端部にガイド突部を突設し、中筒４の内周面にらせん溝を形成してもよい。また、図２０に示す実施の形態では、中皿１のら合部１２の外周面にらせん溝１３を形成し、袴３の内周面にガイド突部２８を突設しているが、中皿１のら合部１２の外周面の下端部にガイド突部を突設し、袴３の内周面にらせん溝を形成してもよい。
【００２２】
また、図１に示す実施の形態では、筒状本体２の小径部１４ｂにガイド突部１６ａ，１６ｂを４つ突設しているが、２つだけ突設してもよい。この場合には、一方のガイド突部１６ａが中筒４の両らせん溝２３の一方に係合し、他方のガイド突部１６ｂが中筒４の両らせん溝２３の他方に係合するようになる。また、図１に示す実施の形態では、中筒４の内周面にガイド突部２６を２つ突設しているが、上記ガイド突部１６ａ，１６ｂと同様に、４つ突設してもよい。
【００２３】
【発明の効果】
以上のように、本発明の棒状化粧料容器によれば、繰出筒の繰出は、繰出筒の上部外周面と筒状本体の内周面とが係合した状態で行われるため、がたつきが生じず、また、長期にわたって破損することもない。しかも、本発明の棒状化粧料容器は、棒状化粧料保持用の繰出筒と、この繰出筒の上部が収容される筒状本体と、上記繰出筒の下部が進退自在に収容される筒状操作部とからなっており、部品点数が少ないうえ、厚み方向には繰出筒と筒状本体（もしくは筒状操作部）が配設されているだけであり、小径化し、全体が小型化する。
【００２４】
また、本発明において、上記繰出筒の下部外周面にらせん溝を形成し、上記筒状操作部を、有底筒状の本体部と、この本体部に進退自在で回動不能に収容される内筒で構成し、この内筒の外周面にらせん溝を形成するとともに、上記内筒の内周面に、上記繰出筒の下部外周面のらせん溝に係合するガイド突部を突設し、上記筒状本体の下端開口部から筒状部を垂設し、この筒状部を上記本体部の上端開口部に相対回動自在に内嵌し、上記筒状部の内周面に、上記内筒の外周面のらせん溝に係合するガイド突部を突設した場合には、筒状操作部を筒状本体に対して相対回動させると、この相対回動に伴い筒状操作部の内筒が連れ回りしながらこの内筒の外周面のらせん溝に筒状本体の筒状部のガイド突部がら合し、このら合により、内筒が筒状操作部の本体部内を進退する。一方、上記内筒のつれ回りに伴い繰出筒を連れ回りさせようとするのに対し、繰出筒の上部外周面（正多面体）と筒状本体の内周面（正多面体）とが係合しているため、繰出筒を連れ回りさせることができないが、繰出筒の下部外周面のらせん溝と筒状操作部のガイド突部とがら合しているため、このら合により、繰出筒の下部を筒状操作部に対し進退させる力が生じる。これにより、繰出筒が進退し、繰出筒の上部が筒状本体内を繰出される。この実施の形態では、筒状操作部と筒状本体との相対回動により、繰出筒の移動距離と内筒の移動距離を加算した距離を繰出することができ、略半分の回動操作で所定距離を繰出することができる。
【００２５】
また、本発明において、上記筒状操作部の内周面に、上記繰出筒の下部外周面のらせん溝に係合するガイド突部もしくは繰出筒の下部外周面のガイド突部に係合するらせん溝を形成した場合には、構造が簡単化する。
【００２６】
また、本発明において、上記筒状操作部に吊り下げ部が突設されている場合には、本発明の棒状化粧料容器をペンダント等に吊り下げることができ、携帯に便利である。
【図面の簡単な説明】
【図１】本発明の棒状化粧料容器の一実施の形態を示す断面図である。
【図２】中皿の断面図である。
【図３】上記中皿の平面図である。
【図４】上記中皿の底面図である。
【図５】上記中皿の側面図である。
【図６】筒状本体の断面図である。
【図７】上記筒状本体の平面図である。
【図８】上記筒状本体の底面図である。
【図９】上記筒状本体の側面図である。
【図１０】袴の断面図である。
【図１１】上記袴の平面図である。
【図１２】上記袴の底面図である。
【図１３】上記袴の側面図である。
【図１４】中筒の断面図である。
【図１５】上記中筒の底面図である。
【図１６】上記中筒の側面図である。
【図１７】キャップの断面図である。
【図１８】上記棒状化粧料容器の作用を示す断面図である。
【図１９】上記棒状化粧料容器の使用の態様を示す説明図である。
【図２０】本発明の他の実施の形態を示す断面図である。
【図２１】従来例を示す断面図である。
【図２２】従来例のスリーブの斜視図である。
【符号の説明】
１  中皿
２  筒状本体
４  中筒
５  筒状操作部
１３  らせん溝
２６  ガイド突部
【図１】
0003634587.tif 000002
【図２】
0003634587.tif 000003
【図３】
0003634587.tif 000004
【図４】
0003634587.tif 000005
【図５】
0003634587.tif 000006
【図６】
0003634587.tif 000007
【図７】
0003634587.tif 000008
【図８】
0003634587.tif 000009
【図９】
0003634587.tif 000010
【図１０】
0003634587.tif 000011
【図１１】
0003634587.tif 000012
【図１２】
0003634587.tif 000013
【図１３】
0003634587.tif 000014
【図１４】
0003634587.tif 000015
【図１５】
0003634587.tif 000016
【図１６】
0003634587.tif 000017
【図１７】
0003634587.tif 000018
【図１８】
0003634587.tif 000019
【図１９】
0003634587.tif 000020
【図２０】
0003634587.tif 000021
【図２１】
0003634587.tif 000022
【図２２】
0003634587.tif 000023